(57)【要約】      （修正有）【課題】小さなスペースで保管・輸送が可能な折り畳み方式にて、安定した直立状態にて装着体に設置できて、造花やボールペン等を分別して収納できるところの小物入れの組立容器を提供する。【解決手段】一方の補強垂直板は、装着体Ｂの天板の四辺形の貫通孔の四辺のうちの一辺に対応する保持外枠Ｄの側板と分割内枠Ｐの側板の間に挟まって、この補強垂直板の平行する二垂直辺が保持外枠の四側板のうちの平行する二側板内に収まり、他方の補強水平板は、連結体の連結体直立部が挿入できるところの水平板貫通孔を配設して整形体Ｃに接合したところの、開閉自在なる折り曲げ線をもって垂直断面形状がＬ字形の補強垂直板と補強水平板からなる傾斜防止板Ｌは、内枠仕切板を有する分割内枠を装着した保持外枠を、貫通孔に貫通して安定した直立状態にて装着体に着脱自在に装着した、小さなスペースで保管・輸送が可能な折り畳み式組立容器となる。【選択図】図１４
0003170027.tif 000002
【実用新案登録請求の範囲】
【請求項１】
互いに平行となる両端にて開閉自在なる折り曲げ線をもって折り畳み、互いに重ね合わせられるところの弾力性を有する四辺形の天板と水平板のうち、この天板のアーチ状に湾曲する支点となる平行する二辺の延長上に、開閉自在なる折り曲げ線をもって折り返して前記天板に重ね合わせられるところの一対の左水平板・右水平板に、この折り曲げ線に平行するところの３本の開閉自在なる折り曲げ線をもって、左右の一対の連結板の間に一対の直立板を設けた四辺形の連結体のうちの前記連結板を、それぞれ接合して環状とするところの装着体のうちの前記連結体の一対の連結板と、中央の折り曲げ線にて二つ折りして一対の直立板を重ね合わせた連結体直立部を逆Ｔ字状に整形し、前記天板をアーチ状に湾曲する支点に形成される二角内に互いに平行する二辺が収まるところの、固定孔を設けた上層整形板と、逆Ｔ字状に整形した前記連結体の水平状態に並設される一対の前記連結板が収まるところの下層収納孔を設けた下層整形板よりなる四辺形の整形体を付設して、この整形体に設けた前記固定孔に前記連結体直立部を係合し、前記天板に設けた貫通孔に貫通して前記整形体上に設置して前記装着体に着脱自在に装着するところの、開閉自在なる折り曲げ線を有する四角のうちの対角線上の二角をもって折り畳まれて水平断面形状が四辺形なる筒状の保持外枠内に開閉自在なる折り曲げ線を有する四角のうちの対角線上の二角をもって折り畳まれるところの、収納物を投入する水平断面形状が四辺形なる筒状の分割内板の側板に平行する内枠仕切板の、四辺形からなる仕切板の四辺のうちの平行する二辺の延長上に開閉自在なる折り曲げ線をもって設けた一対の接合板を、前記分割内板を形成する四側板のうちの平行する二側板に接合した分割内枠を着脱自在に装着した折り畳み式組立容器において、一方の補強垂直板は、前記天板の四辺形の貫通孔の四辺のうちの一辺に対応する前記保持外枠の側板と前記分割内枠の側板の間に挟まって、この補強垂直板の平行する二垂直辺が前記保持外枠の四側板のうちの平行する二側板内に収まり、他方の補強水平板は、前記連結体直立部が挿入できるところの水平板貫通孔を配設して前記整形体に接合したところの、開閉自在なる折り曲げ線をもって垂直断面形状がＬ字形の前記補強垂直板と前記補強水平板からなる傾斜防止板を付設した折り畳み式組立容器。
【考案の詳細な説明】
【技術分野】
【０００１】  本考案は、家庭・事務所等で使用されるもので、分別のできる小物入れの組立容器に関するものである。
【背景技術】
【０００２】  従来の折り畳み式組立容器には、分別のできる小物入れの筒状なものを、アーチ状の装着体に設置して、扁平状に折り畳みができて小さなスペースで保管・輸送ができるけれども、小物入れの筒状なものが傾斜して安定性に欠けるものがある。【０００３】  以下、図１〜１３により従来の折り畳み式組立容器について説明する。【０００４】  従来の組立容器Ａ１は装着体Ｂ・整形体Ｃ・保持外枠Ｄ・分割内枠Ｉより構成されている。【０００５】  装着体Ｂは、板状装着板Ｅと連結体Ｆより構成されており、板状装着板Ｅは厚み０．３ｍｍ程度の、ある程度の弾性を有するところの厚紙にて、四辺Ｅ１〜Ｅ４からなる四辺形の外形形状からなり、四辺１Ａ〜１Ｄからなる四辺形の外形形状の天板１と、この天板１の左右に、互いに同等なる大きさにて、四辺２Ａ〜２Ｄ・３Ａ〜３Ｄからなる四辺形の外形形状の左水平板２・右水平板３を、天板１の縦辺１Ｄ・１Ｂの延長上に折り曲げ線Ｅ５・Ｅ６をもって折り返しており、また、天板１の中央には、外形形状が四辺形にて、四辺４Ａ〜４Ｄのうちの縦辺４Ｂ・４Ｄ、及び、横辺４Ａ・４Ｃが、それぞれ天板１の縦辺１Ｂ・１Ｄ、及び、横辺１Ａ・１Ｃにそれぞれ平行となるところの貫通孔４を設けている。【０００６】  連結体Ｆも厚み０．３ｍｍ程度の厚紙の、四辺Ｆ１〜Ｆ４からなる四辺形の外形形状からなり、縦辺Ｆ２・Ｆ４に平行にして３本の開閉自在な折り曲げ線Ｆ５〜Ｆ７を配設して、左右一対の連結板５・６、及び、直立板７・８より構成され、３本の折り曲げ線Ｆ５〜Ｆ７のうちの中央の折り曲げ線Ｆ６をもって二つ折りし、一対の直立板７・８を互いに重ね合わせて連結体直立部Ｆ８を形成して、３本の折り曲げ線Ｆ５〜Ｆ７のうちの両端に位置する折り曲げ線Ｆ５・Ｆ７の延長上に水平状態に設けた一対の連結板５・６により、逆Ｔ字状に整形されるものであり、板状装着板Ｅの天板１と左水平板２・右水平板３が扁平状に重ね合わされた状態にて、連結体Ｆの一対の連結板５・６を、板状装着板Ｅの左水平板２・右水平板３に合成接着剤にてそれぞれ接着して環状となる装着体Ｂを形成している。【０００７】  整形体Ｃは、四辺Ｃ１〜Ｃ４からなる四辺形の外形形状からなり、上層整形板Ｇと下層整形板Ｈより構成され、このうちの上層整形板Ｇは、厚み０．５ｍｍ程度の厚紙にて四辺Ｇ１〜Ｇ４からなる四辺形の外形形状とし、下層整形板Ｈは厚み２ｍｍ程度の厚紙からなり、この外形形状の四辺Ｈ１〜Ｈ４は、上層整形板Ｇの四辺Ｇ１〜Ｇ４とそれぞれ同等な大きさとしている。【０００８】  また、整形体Ｃの外形形状の大きさにて、縦辺Ｃ２・Ｃ４は板状装着板Ｅの天板１の縦辺１Ｂ・１Ｄと同等とし、また、整形体Ｃの横辺Ｃ１・Ｃ３においては、板状装着板Ｅの天板１をアーチ状に湾曲した状態における天板１と左水平板２・右水平板３が形成する二角Ｅ７・Ｅ８内に、整形体Ｃの縦辺Ｃ２・Ｃ４が収まるところの大きさとし、上層整形板Ｇの中央には四辺９Ａ〜９Ｄのうちの長辺９Ｂ・９Ｄが、上層整形板Ｇの縦辺Ｇ２・Ｇ４に平行するところの長方形の固定孔９を設け、この固定孔９大きさは、連結体直立部Ｆ８の重ね合わせた直立板７・８の厚紙２枚の水平断面形状とほぼ同等にて、天板１をアーチ状に湾曲したところの���状装着板Ｅの左水平板２と右水平板３上に整形体Ｃを載置した場合、連結体直立部Ｆ８が固定孔９内にスムーズに挿入・取外しができる大きさとしている。【０００９】  また、下層整形板Ｈの厚紙の厚みは２ｍｍ程度としているが、この厚みは板状装着板Ｅの左水平板２・右水平板３上に接着した連結体Ｆの連結板５・６の厚みより厚いものにするとともに、下層整形板Ｈの中央には、四辺１０Ａ〜１０Ｄからなる四辺形の下層収納孔１０を設け、この下層収納孔１０の大きさは、連結体Ｆの直立板７・８を互いに重ね合わせた場合の、水平状態となるところの連結板５と６を並列した大きさより一回り大きいものとし、この下層整形板Ｈ上に上層整形板Ｇを合成接着剤にて接着しており、連結体Ｆの連結板５・６が下層整形板Ｈの下層収納孔１０内に収まり、装着体Ｂの左水平板２・右水平板３上の整形体Ｃは、載置した状態が安定することとなる。【００１０】  保持外枠Ｄは、四辺Ｄ１〜Ｄ４からなる四辺形の厚み０．２ｍｍ程度の厚紙を用い、４枚の長方形の側板１１〜１４からなるところの水平断面形状が四辺形なる筒状にしたものであり、四角Ｄ５〜Ｄ８のうちの角Ｄ８にて、一方の側板１４にのり代１５を設けて他方の側板１１に合成接着剤で貼り合わせ、また、四角Ｄ５〜Ｄ８に開閉自在な折り曲げ線Ｄ９〜Ｄ１２を配設して、交差する対角線Ｄ１３・Ｄ１４上に位置する角Ｄ５とＤ７、又は、Ｄ６とＤ８をもって、保持外枠Ｄは扁平状に折り畳まれるものであるが、保持外枠Ｄは板状装着板Ｅの天板１がアーチ状に湾曲した状態における貫通孔４にスムーズに挿入・取外しができるものとし、保持外枠Ｄの水平断面形状の大きさは、天板１がアーチ状に湾曲した状態における上方向より見た貫通孔４の大きさより一回り小さいものとしている。【００１１】  分割内枠Ｉは、分割内板Ｊと内枠仕切板Ｋより構成され、この分割内板Ｊは上述の保持外枠Ｄと同等であり、辺Ｊ１〜Ｊ４、側板１６〜１９、のり代２０、角Ｊ５〜Ｊ８、折り曲げ線Ｊ９〜Ｊ１２、対角線Ｊ１３・Ｊ１４は、上述の保持外枠Ｄの辺Ｄ１〜Ｄ４、側板１１〜１４、のり代１５、角Ｄ５〜Ｄ８、折り曲げ線Ｄ９〜Ｄ１２、対角線Ｄ１３・Ｄ１４にそれぞれ相当しているが、分割内板Ｊの水平断面形状の大きさは、保持外枠Ｄの水平断面形状の大きさより一回り小さいものとし、この保持外枠Ｄ内にスムーズに挿入・取外しができる大きさとし、また、側板１６〜１９の高さは保持外枠Ｄの側板１１〜１４の高さとほぼ同等としている。【００１２】  また、内枠仕切板Ｋは、四辺Ｋ１〜Ｋ４からなる四辺形の厚み０．２ｍｍ程度の厚紙からなり、四辺２１Ａ〜２１Ｄからなる四辺形の仕切板２１と、四辺２２Ａ〜２２Ｄ、２３Ａ〜２３Ｄからなる四辺形の互いに同等なる外形形状の一対の接合板２２・２３の３面より構成され、仕切板２１の縦辺２１Ｂ・２１Ｄの延長上に接合板２２・２３をそれぞれ設けて、内枠仕切板Ｋの水平断面形状を逆コ字状としており、一対の接合板２２と２３の横辺２２Ａ・２２Ｃと２３Ａ・２３Ｃは、分割内板Ｊの側板１６・１８を二等分した大きさより短いものとして、また、内枠仕切板Ｋの高さは分割内板Ｊの高さとほぼ同等としている。【００１３】  そして、この仕切板２１が、分割内板Ｊの側板１７・１９に平行となり、分割内板Ｊをほぼ２分割するように、接合板２２・２３を分割内板Ｊの側板１６・１８に合成接着剤で接着しているが、内枠仕切板Ｋの水平断面形状を逆コ字状とするところの二角Ｋ７・Ｋ８には開閉自在な折り曲げ線Ｋ５・Ｋ６を配設しており、分割内板Ｊは内枠仕切板Ｋを付設した状態にて扁平状に折り畳まれることとなる。【００１４】  したがって、板状装着板Ｅと連結体Ｆより環状となる装着体Ｂにおいて、整形体Ｃを板状装着板Ｅの左水平板２・右水平板３上に載置し、整形体Ｃの固定孔９に連結体Ｆの連結体直立部Ｆ８を挿入して整形体Ｃを係止して、板状装着板Ｅの天板１のアーチ状の湾曲状態を安定することとなり、筒状の保持外枠Ｄを天板１の貫通孔４に貫通して、この下部開口Ｄ１５を整形体Ｃ上に設置し、この保持外枠Ｄ内に分割内板Ｊと内枠仕切板Ｋからなる分割内枠Ｉを装着し、この分割内枠Ｉの一対の上部開口Ｉ１・Ｉ２内に造花やボールペン等の収納物を分別してそれぞれ投入するならば、分別した収納物は保持外枠Ｄに保持されることとなり、保持外枠Ｄを装着体Ｂに安定した直立状態にて着脱自在に装着されることとなる組立容器Ａ１は、保持外枠Ｄ及び分割内枠Ｉが、装着体Ｂとともに開閉自在なる折り曲げ線Ｅ５・Ｅ６、Ｆ５〜Ｆ７、Ｄ９〜Ｄ１２、Ｊ９〜Ｊ１２、Ｋ５・Ｋ６をもって扁平状に折り畳みができ、小さなスペースで保管・輸送が可能な折り畳み式組立容器となる。
【考案の概要】
【考案が解決しようとする課題】
【００１５】  従来の折り畳み式組立容器は、分割内枠に造花やボールペン等を分別して収納し、この分割内枠を装着した筒状の保持外枠を、装着体の天板の貫通孔に貫通して整形体上に設置して、扁平状に折り畳みができて小さなスペースで保管・輸送ができるけれども、この小物入れの筒状な保持外枠が傾斜して、安定性に欠けるものがある。【００１６】  本考案は、上述のような問題点に鑑みてなされたものであり、その目的とするところは、小さなスペースで保管・輸送が可能な折り畳み方式にて、安定した直立状態にて装着体に設置できて、造花やボールペン等を分別して収納できるところの小物入れの組立容器を得ることを目的とする。
【課題を解決するための手段】
【００１７】  本考案の折り畳み式組立容器の課題解決手段は、一方の補強垂直板は、天板の四辺形の貫通孔の四辺のうちの一辺に対応する保持外枠の側板と分割内枠の側板の間に挟まって、この補強垂直板の平行する二垂直辺が保持外枠の四側板のうちの平行する二側板内に収まり、他方の補強水平板は、連結体直立部が挿入できるところの水平板貫通孔を配設して整形体に接合したところの、開閉自在なる折り曲げ線をもって垂直断面形状がＬ字形の補強垂直板と補強水平板からなる傾斜防止板を、内枠仕切板を有する分割内枠を装着した保持外枠に付設し、これらを天板の貫通孔に貫通して整形体上に設置して、装着体に着脱自在に装着した折り畳み式組立容器とするものである。
【考案の効果】
【００１８】  上述の様に考案効果は、一方の補強垂直板は、天板の四辺形の貫通孔の四辺のうちの一辺に対応する保持外枠の側板と分割内枠の側板の間に挟まって、この補強垂直板の平行する二垂直辺が保持外枠の四側板のうちの平行する二側板内に収まり、他方の補強水平板は、連結体直立部が挿入できるところの水平板貫通孔を配設して整形体に接合したところの、開閉自在なる折り曲げ線をもって垂直断面形状がＬ字形の補強垂直板と補強水平板からなる傾斜防止板により、内枠仕切板を有する分割内枠を装着した保持外枠を、安定した直立状態にて装着体に着脱自在に装着した、小さなスペースで保管・輸送が可能な折り畳み式組立容器となる。
【図面の簡単な説明】
【００１９】
【図１】従来の組立容器の正面より見た要部断面図である。
【図２】同装着体の折り畳まれた状態の正面より見た要部断面図である。
【図３】同板状装着板の展開図である。
【図４】同連結体の展開図である。
【図５】同整形体の平面図である。
【図６】同上層整形板の平面図である。
【図７】同下層整形板の平面図である。
【図８】同保持外枠の平面より見た要部断面図である。
【図９】同保持外枠の展開図である。
【図１０】同分割内枠の平面より見た要部断面図である。
【図１１】同分割内板の平面より見た要部断面図である。
【図１２】同分割内板の展開図である。
【図１３】同内枠仕切板の展開図である。
【図１４】本考案の実施の形態１を示す組立容器の斜視図である。
【図１５】同組立容器の側面より見た要部断面図である。
【図１６】同整形体に接着した傾斜防止板の折り畳まれた状態の側面より見た要部断面図である。
【図１７】同傾斜防止板の展開図である。
【図１８】同分割内枠の平面より見た要部断面図である。
【図１９】同分割内板の平面より見た要部断面図である。
【図２０】同分割内板の展開図である。
【図２１】同内枠仕切板の展開図である。
【考案を実施するための形態】
【００２０】  以下、本考案の実施の形態を実施例にもとづき図面を参照して説明する。
【実施例１】
【００２１】  実施の形態１を示す図１４〜２１において、組立容器Ａ２は装着体Ｂ・整形体Ｃ・保持外枠Ｄ・分割内枠Ｐ・傾斜防止板Ｌより構成されており、実施の形態１は、上述の従来の組立容器Ａ１に傾斜防止板Ｌを付設する実施例であり、装着体Ｂ・整形体Ｃ・保持外枠Ｄは上述の従来の組立容器Ａ１におけるものと同等であり、この組立容器Ａ２は、小さなスペースで保管・輸送が可能な折り畳み式組立容器となるものである。【００２２】  傾斜防止板Ｌは、厚み０．３ｍｍ程度の厚紙の四辺Ｌ１〜Ｌ４からなる四辺形の外形形状からなり、四辺２４Ａ〜２４Ｄからなる四辺形の補強垂直板２４と、四辺２５Ａ〜２５Ｄからなる四辺形の補強水平板２５より構成され、補強垂直板２４の縦辺２４Ｄと補強水平板２５の縦辺２５Ｂを開閉自在の折り曲げ線Ｌ５をもって連結しており、この補強水平板２５の中央には、四辺２６Ａ〜２６Ｄのうちの長辺２６Ａ・２６Ｃが補強水平板２５の横辺２５Ａ・２５Ｃに平行するところの、整形体Ｃの固定孔９と同等な大きさからなる水平板貫通孔２６を設けている。【００２３】  分割内枠Ｐは、上述の従来の組立容器Ａ１の分割内枠Ｉと同等であり、分割内板Ｑの辺Ｑ１〜Ｑ４、側板２７〜３０、のり代３１、角Ｑ５〜Ｑ８、折り曲げ線Ｑ９〜Ｑ１２、対角線Ｑ１３・Ｑ１４、及び、内枠仕切板Ｒの仕切板３２、接合板３３・３４、辺Ｒ１〜Ｒ４、３２Ａ〜３２Ｄ、３３Ａ〜３３Ｄ、３４Ａ〜３４Ｄ、折り曲げ線Ｒ５・Ｒ６、角Ｒ７・Ｒ８は、上述の従来の組立容器Ａ１の分割内枠Ｉの分割内板Ｊの辺Ｊ１〜Ｊ４、側板１６〜１９、のり代２０、角Ｊ５〜Ｊ８、折り曲げ線Ｊ９〜Ｊ１２、対角線Ｊ１３・Ｊ１４、及び、内枠仕切板Ｋの仕切板２１、接合板２２・２３、辺Ｋ１〜Ｋ４、２１Ａ〜２１Ｄ、２２Ａ〜２２Ｄ、２３Ａ〜２３Ｄ、折り曲げ線Ｋ５・Ｋ６、角Ｋ７・Ｋ８にそれぞれ相当しているが、分割内板Ｑの水平断面形状の大きさは、従来の組立容器Ａ１の分割内板Ｊの水平断面形状の大きさより一回り小さいものとし、また、分割内枠Ｐの高さは従来の組立容器Ａ１の分割内枠Ｉの高さより、傾斜防止板Ｌの補強水平板２５の厚紙の厚みを差し引いた高さとしている。【００２４】  また、従来の組立容器Ａ１と同等な要領にて保持外枠Ｄ内に分割内枠Ｐを装着し、装着体Ｂの貫通孔４に貫通して整形体Ｃ上に設置する場合、貫通孔４の四辺４Ａ〜４Ｄのうちの、天板１の横辺１Ａ・１Ｃに平行となる横辺４Ａにおいて、これに対応するところの保持外枠Ｄ・分割内板Ｑの四側板１１〜１４・２７〜３０のうちの、保持外枠Ｄの側板１１と分割内板Ｑの側板２７の間に、折り曲げ線Ｌ５をもって垂直断面形状がＬ字形の傾斜防止板Ｌの、分割内板Ｑの側板２７と同等な大きさからなる補強垂直板２４が挟まり、また、傾斜防止板Ｌの補強水平板２５は、保持外枠Ｄの下部開口Ｄ１５より一回り小さいところの大きさとして、整形体Ｃに合成接着剤で接着しており、連結体Ｆの連結体直立部Ｆ８は整形体Ｃの固定孔９、及び、補強水平板２５の水平板貫通孔２６に挿入されることとなる。【００２５】  したがって、補強垂直板２４と補強水平板２５からなる垂直断面形状がＬ字形の傾斜防止板Ｌのうち、連結体Ｆの連結体直立部Ｆ８を挿入する水平板貫通孔２６を有する一��の補強水平板２５は、整形体Ｃに合成接着剤で接着され、他方の補強垂直板２４は保持外枠Ｄの側板１１と分割内板Ｑの側板２７の間に保持されて、この補強垂直板２４に直角に位置することとなる保持外枠Ｄの平行する二側板１２・１４は、補強垂直板２４の二垂直辺２４Ａ・２４Ｃにより直立状態に規制され、傾斜防止板Ｌを付設した分割内枠Ｐと保持外枠Ｄは、装着体Ｂの天板１の貫通孔４に貫通して整形体Ｃ上に設置し、安定した直立状態にて装着体Ｂに着脱自在に装着されることとなる組立容器Ａ２は、装着体Ｂ・保持外枠Ｄ・分割内枠Ｐ・傾斜防止板Ｌのそれぞれの開閉自在なる折り曲げ線Ｅ５・Ｅ６、Ｆ５〜Ｆ７、Ｄ９〜Ｄ１２、Ｑ９〜Ｑ１２、Ｒ５・Ｒ６、Ｌ５をもって扁平状に折り畳みができ、小さなスペースで保管・輸送が可能な折り畳み式組立容器となる。【００２６】  上述の実施例において、装着体Ｂ、整形体Ｃ、保持外枠Ｄ、分割内枠Ｐ、傾斜防止板Ｌは厚紙製としているが、これをプラスチック板や、木製板とし、また、折り曲げを要する角にのみ折り曲げできるところの紙や、軟質なるプラスチック板を使用してもよい。【００２７】  また、保持外枠Ｄ・分割内板Ｑに、ある程度の強度を必要とする場合、それぞれの開口縁Ｄ１６・Ｑ１６で折り返すところの二重構造とし、さらに、この二重構造の間に別の補強板を下方向より挿入するならば、保持外枠Ｄ、分割内板Ｑはより強度のあるものとなる。【００２８】  また、分割内枠Ｐの内枠仕切板Ｒは、造花やボールペン等を分別して収納するためのものであり、分別の必要がない場合には、この内枠仕切板Ｒを取り除いてもよいことは言うまでもなく、また、四辺３２Ａ〜３２Ｄからなる四辺形の仕切板３２と、四辺３３Ａ〜３３Ｄ、３４Ａ〜３４Ｄからなる四辺形の互いに同等なる外形形状の一対の接合板３３・３４の３面より水平断面形状を逆コ字状としているが、この仕切板３２を上辺３２Ａで折り返すところの二重構造とし、さらに、この二重構造とした仕切板の縦辺の延長上に、分割内板Ｑの側板２７・２９に合成接着剤で接着するところの、接合板３３・３４と同等なる接合板をそれぞれ設けた、内枠仕切板Ｒと対称的な水平断面形状がコ字状なものを付設するならば、分割内枠Ｐはより強度のあるものとなる。【００２９】  また、内枠仕切板Ｒは厚み０．２ｍｍ程度の厚紙製としているが、柔らかな布、または、この柔らかな布と同等な表面を有するプラスチックシートを、内枠仕切板Ｒの厚紙に貼り付けるならば、レンズ等を傷つけることなく、メガネ等の収納に安心することができ、また、分割内枠Ｐの底面、すなわち、傾斜防止板Ｌの補強水平板２５上に弾力性を有するスポンジ等を敷くならば、投入時のクッションとなり収納物にやさしいものとなる。【００３０】  また、傾斜防止板Ｌの補強水平板２５の四辺２５Ａ〜２５Ｄのうち、一辺２５Ｂに開閉自在の折り曲げ線Ｌ５をもって補強垂直板２４を連結しているが、これ以外の三辺２５Ａ・２５Ｃ・２５Ｄにも補強垂直板を設けて、保持外枠Ｄの側板１１〜１４と分割内板Ｑの側板２７〜３０間に、この補強垂直板を挟むならば、保持外枠Ｄと分割内枠Ｐはより安定した直立状態となるものである。【００３１】  また、補強水平板２５の外形形状を、保持外枠Ｄ��下部開口Ｄ１５より一回り小さいところの大きさの四辺形としているが、整形体Ｃに接着した場合、補強垂直板２４が安定した直立状態となる範囲内で、保持外枠Ｄの下部開口Ｄ１５内に収まる大きさに限定するものではなく、また、水平板貫通孔２６を整形体Ｃの固定孔９と同等な大きさとしているが、連結体直立部Ｆ８がスムーズに挿入・取外しができるのであれば、固定孔９と同等な大きさでなくてもよい。
【符号の説明】
【００３２】Ａ１、Ａ２  組立容器
Ｂ  装着体
Ｃ  整形体
Ｄ  保持外枠
Ｅ  板状装着板
Ｆ  連結体
Ｇ  上層整形板
Ｈ  下層整形板
Ｉ、Ｐ  分割内枠
Ｊ、Ｑ  分割内板
Ｋ、Ｒ  内枠仕切板
Ｌ  傾斜防止板
【図１】
0003170027.tif 000003
【図２】
0003170027.tif 000004
【図３】
0003170027.tif 000005
【図４】
0003170027.tif 000006
【図５】
0003170027.tif 000007
【図６】
0003170027.tif 000008
【図７】
0003170027.tif 000009
【図８】
0003170027.tif 000010
【図９】
0003170027.tif 000011
【図１０】
0003170027.tif 000012
【図１１】
0003170027.tif 000013
【図１２】
0003170027.tif 000014
【図１３】
0003170027.tif 000015
【図１４】
0003170027.tif 000016
【図１５】
0003170027.tif 000017
【図１６】
0003170027.tif 000018
【図１７】
0003170027.tif 000019
【図１８】
0003170027.tif 000020
【図１９】
0003170027.tif 000021
【図２０】
0003170027.tif 000022
【図２１】
0003170027.tif 000023